(57)【要約】  物品の展示装置は、脚部（２）と、大きさが中程度の平面であり、該平面上に展示する物品（６、７）を支持して展示する展示パネル（１）とを備える。前記展示パネル（１）は、脚部に対して、前記した平面に垂直な旋回軸（ｙ）を中心にして、１以上の第１と第２の角度位置との間で旋回することができる。前記展示パネルは、該展示パネルの上面と裏面との間に位置する軸に対して、ヒンジで繋がれている。【選択図】図１
2007514492.tif 000002
【特許請求の範囲】
【請求項１】
物品の展示装置であって、
脚部（２）と、
大きさが中程度の平面（ｘ；ｙ）であり、展示される物品（６、７）を支持する上面（４ａ）と、裏面（４ｂ）とを有する展示パネル（１）を備え、
さらに、前記装置は、展示パネルを脚部（２）に対してヒンジで繋ぐように構成された連結手段を備えており、該手段によって、前記展示パネルが水平面に対して傾斜した１以上の角度位置をとることができるように構成されており、
前記展示パネルは、前記脚部に対して、前記平面に垂直な旋回軸（ｙ）を中心として旋回するとともに、該旋回が少なくとも第１及び第２の角度位置との間でなされるように構成されており、
そして、前記展示パネルを、１以上の前記第１及び第２の角度位置でロックするように構成されたロック機構（２６、２９）を備え、
前記連結手段が少なくとも部分的に、展示パネルの前記上面（４ａ）と前記裏面（４ｂ）との間に配置されることを特徴とする物品の展示装置。
【請求項２】
前記連結手段が、水平軸（ｕ）を中心として回転する展示パネルを選択的にロックし、又は、ロックを解除するように構成された傾斜調整機構（１８、２４、３０）を備えることを特徴とする請求項１に記載の物品の展示装置。
【請求項３】
前記脚部（２）が縦軸（ｖ）を有し、当該縦軸（ｖ）、前記旋回軸（ｙ）及び水平軸（ｕ）が、前記展示パネルの上面（４ａ）と裏面（４ｂ）との間に位置する交点に集まることを特徴とする請求項２に記載の物品の展示装置。
【請求項４】
前記連結手段が、前記展示パネルの裏面（４ｂ）の中心に配置されることを特徴とする請求項１乃至３のいずれか一項に記載の物品の展示装置。
【請求項５】
前記第１及び第２の角度位置が、それらの間に角度θを形成し、
前記展示される物品（６、７）を支持するように構成された物品支持モジュール（５）が、前記展示パネルの上面において、締結手段（８、１２；１４、１５）によって着脱可能に取り付けられ、
前記締結手段が、前記の各支持モジュールを前記展示パネルに対して第１及び第２の位置で締結するように構成されるとともに、該第１及び第２の位置が、互いに前記角度θを形成することを特徴とする請求項１乃至４のいずれか一項に記載の物品の展示装置。
【請求項６】
前記上面には正方形状の格納スペース（１１）が設けられ、各格納スペースが１以上の物品支持モジュール（５）を受け入れるとともに、前記第１及び第２の角度位置が互いに直交しており、前記支持モジュール（５）の前記第１及び第２の位置が互いに直交していることを特徴とする請求項５に記載の物品の展示装置。
【請求項７】
前記展示パネルの上面（４ａ）は、複数のパターン（８）を備え、該パターンを、これに対応した、前記の各物品支持モジュール（５）に属するパターン（１２）に嵌め込むことによって両者が連携することを特徴とする請求項５又は請求項６に記載の物品の展示装置。
【請求項８】
前記展示パネルの上面（４ａ）と前記各物品支持モジュール（５）とが、磁気手段（１４、１５）によって互いに着脱可能に固定されることを特徴とする請求項５乃至７のいずれか一項に記載の物品の展示装置。
【請求項９】
前記物品支持モジュール（５）のあるものには凹部（１３）が設けられており、該凹部に、展示される物品（６、７）を嵌合することによって、該物品を受け入れるように構成されることを特徴とする請求項５乃至８のいずれか一項に記載の物品の展示装置。
【請求項１０】
前記モジュール（５）が、その長さがａで幅がｂである直方体であり、ここで、ａがｂの整数倍であり、そして、展示パネルの上面（４ａ）は、その長さがＨで幅がＷの長方形状であり、ここで、Ｗがａの整数倍であって、Ｈがｂの整数倍であることを特徴とする請求項５乃至９のいずれか一項に記載の物品の展示装置。
【請求項１１】
前記モジュールは、その長さがａで幅がｂである直方体であり、前記展示パネルの上面（４ａ）は長方形状であって、その長さと幅とが、ともにａとｂとの整数倍であることを特徴とする請求項５乃至１０のいずれか一項に記載の物品の展示装置。
【請求項１２】
前記モジュール（５）は、その長さａが、その幅ｂの２倍に略等しいことを特徴とする請求項１０又は請求項１１に記載の物品の展示装置。
【発明の詳細な説明】
【技術分野】
【０００１】
本発明は、物品の展示装置に関する。
具体的には、本発明は、物品を展示するための装置に関し、前記装置は以下の構成を備える。
・脚部と、
・大きさが中程度の平面であり、展示する物品を支持する上面と、裏面を有する展示パネル。
前記装置は、前記展示パネルを、脚部に対してヒンジで繋ぐように構成された連結手段を備えており、該手段によって、前記展示パネルが水平面に対して傾斜した１以上の角度位置をとることができるように構成されている。
前記展示パネルはさらに、前記脚部に対して、前記平面に垂直な旋回軸を中心として旋回するとともに、該旋回が少なくとも第１及び第２の角度位置との間でなされるように構成されている。
・前記展示パネルを１以上の前記した第１及び第２の角度位置でロックするように構成されたロック機構。
【背景技術】
【０００２】
特許文献１には、展示装置の一例が記載されている。残念ながら、特許文献１の展示パネルは、展示パネルの裏面に取り付けられた別の要素によってヒンジで連結されているため、それらの要素には相当の応力が生ずる。特に、展示パネルの表面上に大きな加重がかけられた場合には、それらの要素の縁部近傍に相当な応力が生ずる。
【特許文献１】仏国特許出願公開第２８０９９４３号明細書
【発明の開示】
【発明が解決しようとする課題】
【０００３】
本発明の１つの特定の目的は、前記の欠点を緩和することである。
【課題を解決するための手段】
【０００４】
この目的のために、本発明による、この種の装置は、連結手段の一部分が展示パネルの前記上面と前記裏面との間に配置されることを特徴とする。
【０００５】
このような装置を用いると、任意の種類の物品を展示パネルの表面に取り付けることで生じる力のモーメントは小さくなる。それゆえに、前記展示パネルは、より頑丈で安定したものとなる。
【０００６】
本発明の各種態様において、以下の１以上の事項を用いることも状況に応じて可能である。
・前記連結手段が、水平軸を中心として回転する展示パネルを選択的にロックし、又はロックを解除するように構成された傾斜調整機構を備える。
・脚部が縦軸を有し、そして、当該縦軸と、前記した旋回軸及び水平軸が、前記展示パネルの上面と裏面との間に位置する交点に集まる。
・前記連結手段が、展示パネルの前記裏面の中心に配置される。
・第１及び第２の角度位置は、それらの間に角度θを形成し、展示される物品を支持するように構成された物品支持モジュールが、前記展示パネルの上面において、締結手段によって着脱可能に取り付けられ、前記締結手段が、前記の各支持モジュールを前記展示パネルに対して第１及び第２の位置で締結するように構成されるとともに、該第１及び第２の位置が、互いに前記角度θを形成する（それ故、展示パネルがどのような傾斜であっても、展示する物品を整頓された状態で展示することができる。そして、支持モジュールは、それらが外観観察者に対して常に同様に上向きであるように配置できる。展示パネルは、前記第１あるいは第２の角度位置のいずれかにあり、それによって、展示する物品の所定のレイアウトに対応するように、外部環境に対する展示パネルの位置を合わせることができる）。
・前記上面には正方形の格納スペースが設けられ、各格納スペースが１以上の物品支持モジュールを受け入れる。前記した第１及び第２の角度位置は互いに直交しており、そして、支持モジュールの前記第１の位置と第２の位置とは互いに直交している。
・前記展示パネルの上面は、複数のパターンを備え、該パターンを、これに対応した、前期の各物品支持モジュールに属するパターンに嵌め込むことによって両者が連携する。
・前記展示パネルの上面と前記した各物品支持モジュールとは、磁気手段によって互いに着脱可能に固定される。
・前記した物品支持モジュールのあるものには凹部が設けられており、該凹部に、展示される物品を嵌合することによって、該物品を受け入れるように構成される。
・前記モジュールは、その長さがａで幅がｂである直方体であり、ここで、ａはｂの整数倍である。そして、展示パネルの上面は、その長さがＨで幅がＷの長方形状であり、ここで、Ｗはａの整数倍であって、Ｈはｂの整数倍である。
・前記モジュールは、その長さがａで幅がｂである直方体であり、そして、展示パネルの上面は、その長さと幅とが、ともにａとｂとの整数倍である長方形状である。
・前記モジュールは、その長さａが、その幅ｂの２倍に略等しい。
【発明を実施するための最良の形態】
【０００７】
本発明のその他の特徴及び利点は、非限定的な実施例を用いて、添付図面を参照することにより、以下の説明に示される実施形態から明らかとなる。
尚、種々の図で、同様な参照番号は、同一又は類似する要素を示す。
【０００８】
図１は、本発明の装置を示す斜視図である。本発明の装置は、脚部２上に立設された展示パネルで構成され、脚部２自体は、床上に立つ基部３上に、状況に応じて配置される。尚、図１に示す展示パネル１は、水平面から約６０°の角度で上向きに傾斜している。以下に説明するように、本装置には、展示パネルを、水平面に対して所望の傾斜（特に、展示パネルが水平に配置できる傾斜の範囲内）で配置するための機構が設けられている。
【０００９】
本実施例の展示パネルは、直方体状であり、その厚みは幅Ｗ及び高さＨに比較して小さい。そのため、展示パネルはその主要な上面及び裏面に略平行な幾何学的平面（ｘ；ｚ）を有する。しかしながら、本発明は、展示パネルの上面又は裏面が他の形状（例えば波形又は凸形）を有する展示パネルにも適用可能である。本明細書に記載した展示パネルは、具体的に、プレート２２（図５）及び直方体状の硬い支持ボード４で構成されており、該支持ボードはプレート２２上に取り付けられている。該支持ボード上には物品支持モジュール５が着脱可能に取り付けられている。物品支持モジュールは、支持ボード４を部分的又は完全に覆うように、支持ボード４の上面４ａに固定される。そして、それら物品支持モジュールも直方体又は立方体の形状であり、その長さがａで、幅がｂである。本例において、モジュールは長方形状をなし、その長さａがその幅ｂの２倍に等しい。そして、２つのモジュールは、横並びに配置されて隣接し、それらの長さが繋がった正方形の格納スペース１１を形成する（図１に破線で示す）。展示される物品６、７は、前記モジュール５に着脱可能に、又は恒久的に固定される。図１では、同図左下隅に位置する２つのモジュールと右下隅に位置する２つのモジュールのみが、例えば、ペンシル又はスティック６、パウダーのサンプル７、口紅のチューブ、フラスコ瓶、又は他の要素の物品６、７を支持する。いくつかのモジュールは、広告ポスター、鏡、又は他の要素を支持することもできる。さらに、通常の使用において、ボード４がそのようなモジュールにしばしば完全に覆われたとしても、いくつかのモジュールは、ボード４が見えるように展示パネル１の上右隅から取り外されている。
【００１０】
従って、ボード４は、規則的な秩序配列で配置された取り付け用パターン８（例えば、１モジュールにつき２つの取り付け用パターンで構成される）を備えることができる。これらの取り付け用パターンは、例えば、ボード４に備えられ、中空円筒の形状をしており、円筒の中心にはスパイクの形をした取り付けガイド１０（例えば、ボード４の上面４ａに向かって延びている）を有している。各円筒は、該円筒の端壁に固定されている。実施の形態によっては、取り付け用パターンが、必ずしも取り付けガイド１０を有さず、円筒形とも限らない。
【００１１】
取り付け用パターンは、ボード４上に均等に整列して配置される。例えば、同じモジュールが、モジュールに沿って一列に配列された第１及び第２の取り付け用パターンを用いて保持される場合には、特に、切れ目なく配置された２つのモジュールを含む同じ格納スペース内において、同じモジュールの取り付け用パターン間の長手方向の距離が、各モジュールの第１の取り付け用パターン間の距離と等しくなるように設置することができる。従って、支持モジュールは、展示パネルの長さ又はその幅のいずれかに揃えることによって、展示パネルに対して２つの位置で固定することが可能である。
【００１２】
図２は、本発明の支持モジュールを示す後部の概略斜視図である。支持モジュールの前面５１は、展示される物品を受け入れる役割を果たす。その裏面５２には、ボード４に設けられる取り付け用パターンの形状に対応した形状とされる、２つの取り付け用パターン１２が設けられる。本明細書に示される特定の実施例において、取り付け用パターン１２は、例えば、モジュールの中心線上に配置される２つの円筒１２ａの形状であり、そして、それぞれには、固定ガイド１０を受け入れるのに適した凹部１２ｂがその中心に設けられている。
【００１３】
図３ａには、図２の中心線上のそのようなモジュールを断面で示す。前面５１には、横になった状態で、又は直立して、ペンシル６あるいはその他の展示される物品を受け入れるのに適した凹部１３が設けられている（図３ａの右側において、凹部１３は空の状態として示されている）。展示される物品は、例えば、相互に嵌め込むことによって物品支持モジュールに対してしっかりと保持されるように、ユーザによって凹部１３内へ挿入される。
【００１４】
物品支持モジュール５の取付面５２には、上述したような２つの取り付け用パターン１２が設けられる。取付については、図３ａ及び図３ｂに示すように配置された磁気要素間の連携によって同時又は交互に達成可能であり、図３ｂは、図３ａに示されるモジュール８と向かい合うボード４の一部を示す。第１の磁化層１４は、モジュール５の底面に近接して配置される。同時に、ボード４の上面には、第１の層に対応した磁性とされる第２の磁化層１５が設けられるか、又は強磁性要素が設けられる。
【００１５】
図４は脚部２の頂部を示し、この頂部は図１の展示パネルによって覆われる。脚部２は、例えば、軸（ｖ）に沿って垂直に延びている。前記頂部は、例えば、脚部２から上方へ垂直に延び、開口部１７（例えば卵形の）を有しており、該開口部は、水平軸（ｕ）を中心とする腕部１６方向に沿って水平に延びている。シャフト１８は、開口部１７内に静止した状態で、腕部に対して対称的に取り付けられる。シャフト１８は、開口部１７に対応する形状の中央部を有し、そこからロッドが両側に延びており、該ロッドは、滑らかな表面の第１の円筒部１９と、それよりも大きな直径を有し、当該円筒部の周囲の一部を覆う歯２１を持つ第２の円筒部２０と、を有する。
【００１６】
展示パネルは、図５に斜視図で示すプレート２２を介して脚部に取り付けられる。図５に示されるプレートの裏面は、脚部２に面している。プレート２２の裏面は円形であり、その中央に凹部２３を有し、プレートの内部には、シャフト１８の歯２１に対応した形状の歯２５を有する２つの軸受部の内側部分２４が固定されている。中央の凹部の周辺において、プレート２２は、規則的な角度間隔をもって、（例えば、円筒形の）いくつかの貫通孔２６を有している。プレートの前面（図５に図示せず）は、例えば、平坦で滑らかである。
【００１７】
プレート２２が脚部２上に望ましい傾斜で配置された時点で、シャフト１８の歯２１、つまり、２つの軸受部の内側部分２４における対応した歯２５と連携する歯２１、そして、これに対応する歯３１を有している軸受部の外側部分３０は、シャフト１８を部分的に取り巻くように内側部分２４に固定される。例えば、固定は、ネジ（図示せず）を軸受部のネジ穴３２に締め付けることによって達成可能である。
【００１８】
図６は、背面から見たボード４を示す斜視図である。ボードには、プレート２２の形状に対応する形状の、凹んだ中央部２７が設けられているため、その上に、ボードを取り付けることが可能である。玉軸受システム２８は、ボードがプレート２２に対して旋回することができるように、前記中央部の周縁に取り付けられている。ボール２９は、前記した凹んだ中央部の端壁に規則的な角度の間隔をおいて配置されている。例えば、２つのボールは正反対の位置に配置されている。バネは中央部２７の内側に突出した位置で各ボールを支えている。但し、各ボールについては、引き込み位置において、バネのスラスト力に抗してボード内に完全に収めることができる。
【００１９】
ボール２９は、前記プレートが中央部２７に取り付けられた時に、プレートの孔部２６に係合し、その後ボード４がプレート２２に対して旋回するのを防ぐのに適している。ボールが引き込まれた位置に移動されると、ボール２９が別の角度位置にあるボードに対応する別の孔部２６に係合するまで、ボードはプレート２２に対して自由に旋回する。例えば、ボードは、プレートに対してθ＝９０°まで回転可能であり、プレートは、図１に示される第１の角度位置と図７に示される第２の角度位置との間で、脚部に対して静止状態で取り付けられる。
【００２０】
ボードの傾斜が同じ場合に、該ボードは、展示パネルの平面（ｘ；ｙ）に垂直である旋回軸（ｙ）を中心に回転するように構成されている。また、ボードは、図１及び図７に示されるようないくつかの位置でロックできるように構成されている。図１と比較すると、図７のボードは、旋回軸（ｙ）を中心に９０°回転している。また、前記モジュールは、ディスプレイ表面上で再配置されている。従って、ペンシル６を受け入れるための格納スペース１１のモジュール５は、（ボードの旋回方向の逆方向に）軸（ｙ）を中心に９０°回転され、展示パネル１の左下隅に新たな角度位置で配置される。同様に、パウダー７を受け入れるための格納スペース１１のモジュール５は、同じ角度まで同じ方向に回転され、展示パネルの右下隅に配置される。
【００２１】
従って、ボードが脚部に対して旋回される際の旋回角度に等しい角度まで、展示パネルに対してモジュールを反対方向へ旋回させることによって、それぞれの格納スペースは、外部の観察者に対して全く同様に配置することができる。
【００２２】
展示パネルは、垂直面に対して広い傾斜範囲をもって傾斜させることができる。この目的のために、プレート２２は、所望の傾斜でシャフト１８上に取り付けられなければならず、軸受部の歯２５、３１は、シャフト１８の歯２１と係合している。シャフト１８及び軸受部の歯の角度領域は、傾斜角の有効範囲を規定する。
【図面の簡単な説明】
【００２３】
【図１】本発明の装置を示す前面斜視図である。
【図２】物品支持モジュールを示す概略斜視図である。
【図３ａ】図２のモジュールを示す断面図である。
【図３ｂ】図３ａに対応するボードの断面図である。
【図４】脚部の頂部を示す斜視図である。
【図５】脚部上に取り付けられたプレートを示す一部分解斜視図である。
【図６】プレート上に取り付けられたボードを示す斜視図である。
【図７】別の角度位置での図１の装置を示す正面斜視図である。
【図１】
2007514492.tif 000003
【図２】
2007514492.tif 000004
【図３ａ】
2007514492.tif 000005
【図３ｂ】
2007514492.tif 000006
【図４】
2007514492.tif 000007
【図５】
2007514492.tif 000008
【図６】
2007514492.tif 000009
【図７】
2007514492.tif 000010
【国際調査報告】
2007514492.tif 000011
2007514492.tif 000012
2007514492.tif 000013
2007514492.tif 000014